【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
カソード、アノードを含み、それらの間に発光層を有し、前記発光層と前記カソードとの間に第１層をさらに含むＯＬＥＤ装置であって、
前記第１層は、連結基によって接続された７,１０位を有するフルオランテン核を含むフルオランテン大環状化合物を含み、前記フルオランテン核は、さらに置換されることができ、ただし、８及び９位の置換基は、結合して５員環基を形成することができず、前記ＯＬＥＤ装置は、前記発光層と前記カソードとの間にアルカリ金属物質を含む少なくとも１つの層を含み、
前記フルオランテン大環状化合物は、式（I）：
【化１】
2012518275.tif 000001
（式中、Ｒ1〜Ｒ8は、水素又は置換基を独立して表し、隣接するＲ1〜Ｒ8置換基は、結合して環基を形成することができ、ただし、Ｒ1及びＲ2は、結合して５員環基を形成することができず、Ｌは、−（ＣＹ2）n−（式中、各Ｙは同一でも異なっていてもよく、各Ｙは水素又は置換基を表し、ただし、隣接する置換基は、結合して環基を形成することができ、ｎは８〜２５である）である）により表されるＯＬＥＤ装置。
【請求項２】
前記連結基は、１０原子以上２０原子未満の長さを有する請求項１に記載のＯＬＥＤ装置。
【請求項３】
前記フルオランテン大環状化合物は、１つのみのフルオランテン核を含有する請求項１に記載のＯＬＥＤ装置。
【請求項４】
前記フルオランテン核に環形成された芳香環がない請求項１に記載のＯＬＥＤ装置。
【請求項５】
Ｒ1〜Ｒ8の各々が、水素、１〜２４個の炭素原子を有するアルキル基、又は６〜２４個の炭素原子を有するアリール基を独立して表し、ただし、隣接する基は、結合して前記フルオランテン核に結合した芳香環基を形成することができない請求項１に記載のＯＬＥＤ装置。
【請求項６】
カソード、アノードを含み、それらの間に発光層を有し、前記発光層と前記カソードとの間に第１層をさらに含むＯＬＥＤ装置であって、
前記第１層は、連結基によって接続された７,１０位を有するフルオランテン核を含むフルオランテン大環状化合物を含み、前記フルオランテン核は、さらに置換されることができ、ただし、８及び９位の置換基は、結合して５員環基を形成することができず、前記ＯＬＥＤ装置は、前記発光層と前記カソードとの間にアルカリ金属物質を含む少なくとも１つの層を含み、
前記フルオランテン大環状化合物は、式（II）：
【化２】
2012518275.tif 000002
（式中、Ｒ1〜Ｒ8の各々は、水素、１〜２４個の炭素原子を有するアルキル基、６〜２４個の炭素原子を有するアリール基を独立して表し、ただし、隣接する基は、結合して前記フルオランテン核に結合した芳香環基を形成することができず；各Ｙは、同一でも異なっていてもよく、水素、１〜２４個の炭素原子を有するアルキル基、６〜２４個の炭素原子を有するアリール基をそれぞれ表し、ただし、隣接するＹ基は結合して環基を形成することができ；ｍは、４以上３０未満である）により表されるＯＬＥＤ装置。
【請求項７】
ｍは、６以上２５未満である請求項６に記載のＯＬＥＤ装置。
【請求項８】
前記アルカリ金属物質は、リチウム金属又は有機リチウム化合物を含む請求項１に記載のＯＬＥＤ装置。
【請求項９】
前記第１層は、アルカリ金属又は有機アルカリ金属化合物を含む請求項１に記載のＯＬＥＤ装置。
【請求項１０】
前記第１層と前記カソードとの間に配置され且つ前記第１層に接触する第２層は、アルカリ金属又は有機アルカリ金属化合物を含む請求項１に記載のＯＬＥＤ装置。
【請求項１１】
前記第１層は、アルカリ金属又は有機アルカリ金属化合物を含み、前記第１層と前記カソードとの間に配置され且つ前記第１層に接触する第２層は、独立して選択されるアルカリ金属又は独立して選択される有機アルカリ金属化合物を含む請求項１に記載のＯＬＥＤ装置。
【請求項１２】
前記アルカリ金属物質は、式（III）：
（Ｌｉ+）f（Ｑ）g    式（III）
（式中、Ｑはアニオン性有機配位子であり；ｆ及びｇは、前記錯体に中性電荷を与えるように選択される独立して選択された整数である）により表される化合物を含む請求項１に記載のＯＬＥＤ装置。
【請求項１３】
前記アルカリ金属物質は、式（IV）
【化３】
2012518275.tif 000003
（式中、Ｚ及び点線の弧は、２〜４個の原子及びリチウムカチオンとの５〜７員環を完成するのに必要な結合を表し；各Ａは、水素又は置換基を表し、各Ｂは、Ｚ原子上の水素又は独立的に選択された置換基を表し、ただし、２個以上の置換基は、結合して縮合環又は縮合環系を形成することができ；ｊは０〜３であり、ｋは１又は２であり；ｆ及びｇは、前記錯体に中性電荷を与えるように選択される独立して選択された整数である）により表される化合物を含む請求項１に記載のＯＬＥＤ装置。
【請求項１４】
前記第１層は、前記フルオランテン大環状化合物に加えて、式（V）：
【化４】
2012518275.tif 000004
（式中、Ｒ1及びＲ6はそれぞれ、６〜２４個の炭素原子を有するアリール基を独立して表し；Ｒ2〜Ｒ5及びＲ7〜Ｒ10はそれぞれ、水素、１〜２４個の炭素原子を有するアルキル基、及び６〜２４個の炭素原子を有する芳香族基から独立して選択される）によるアントラセン誘導体を含む請求項１に記載のＯＬＥＤ装置。
【請求項１５】
前記フルオランテン大環状化合物は、前記第１層及び前記発光層中に存在する請求項１に記載のＯＬＥＤ装置。
【請求項１６】
カソード、アノードを含み、それらの間に発光層を有し、前記発光層と前記カソードとの間に第１層をさらに含むＯＬＥＤ装置であって、前記第１層は、非発光電子輸送層であり、
ａ）前記第１層は、連結基によって接続された７,１０位を有するフルオランテン核を含むフルオランテン大環状化合物を含み、前記連結基は少なくとも８原子の長さを有し、前記フルオランテン核は、さらに置換されることができ、ただし、８及び９位の置換基は、結合して５員環基を形成することができず、
ｂ）前記第１層は、アルカリ金属又は有機アルカリ金属化合物を含み；或いは前記第１層と前記カソードとの間に配置され且つ前記第１層に接触する第２層は、アルカリ金属又は有機アルカリ金属化合物を含み、ただし、前記第１層及び前記第２層の両方は、独立して選択されたアルカリ金属又は有機アルカリ金属化合物を含むことができ、
前記フルオランテン大環状化合物は、式（I）：
【化５】
2012518275.tif 000005
（式中、Ｒ1〜Ｒ8は、水素又は置換基を独立して表し、隣接するＲ1〜Ｒ8置換基は、結合して環基を形成することができ、ただし、Ｒ1及びＲ2は、結合して５員環基を形成することができず、Ｌは、−（ＣＹ2）n−（式中、各Ｙは同一でも異なっていてもよく、各Ｙは水素又は置換基を表し、ただし、隣接する置換基は、結合して環基を形成することができ、ｎは８〜２５である）である）により表されるＯＬＥＤ装置。
【請求項１７】
カソード、アノードを含み、それらの間に発光層を有し、前記発光層と前記カソードとの間に第１層をさらに含むＯＬＥＤ装置であって、前記第１層は、非発光電子輸送層であり、
ａ）前記第１層は、連結基によって接続された７,１０位を有するフルオランテン核を含むフルオランテン大環状化合物を含み、前記連結基は少なくとも８原子の長さを有し、前記フルオランテン核は、さらに置換されることができ、ただし、８及び９位の置換基は、結合して５員環基を形成することができず、
ｂ）前記第１層は、アルカリ金属又は有機アルカリ金属化合物を含み；或いは前記第１層と前記カソードとの間に配置され且つ前記第１層に接触する第２層は、アルカリ金属又は有機アルカリ金属化合物を含み、ただし、前記第１層及び前記第２層の両方は、独立して選択されたアルカリ金属又は有機アルカリ金属化合物を含むことができ、
前記フルオランテン大環状化合物は、式（II）：
【化６】
2012518275.tif 000006
（式中、Ｒ1〜Ｒ8の各々は、水素、１〜２４個の炭素原子を有するアルキル基、６〜２４個の炭素原子を有するアリール基を独立して表し、ただし、隣接する基は、結合して前記フルオランテン核に結合した芳香環基を形成することができず；各Ｙは、同一でも異なっていてもよく、水素、１〜２４個の炭素原子を有するアルキル基、６〜２４個の炭素原子を有するアリール基をそれぞれ表し、ただし、隣接するＹ基は結合して環基を形成することができ；ｍは、４以上３０未満である）により表されるＯＬＥＤ装置。